(57)【要約】      （修正有）【課題】窓レールに固定することによって、窓を所定の位置に固定し、必要な隙間を設け、かつ、安全性を基本的な泥棒侵入防止機能を備えた窓固定具を提供する。【解決手段】ロック台１、スライドブロック２、固定部品３、一対の押圧ブロック４及び側面蓋５により構成する。ロック台内にスライドブロックを上下スライド可能に収容し、該スライドブロックの一対の案内傾斜面２２１間に一対の押圧ブロックを配置し、押圧ブロックの間に窓レールを挟んで配置する。ロック台上方から固定部品をネジにより下降操作可能としてその先端によって上記スライドブロック上端を押圧し、それに連動して押圧ブロックを挟圧し、レールを挟んで固定する。固定位置を窓の開度に合わせて固定することにより、窓に形成する隙間を任意に調整する。【選択図】図１
0003149626.tif 000002
【実用新案登録請求の範囲】
【請求項１】
ロック台、スライドブロック、固定部品、一対の押圧ブロック及び側面蓋により構成し、
該ロック台は、１側に開放するスライド開口を設け、該スライド開口下面壁はスリットを設け、上面壁はスライド開口の上方と連通した内ネジ孔を設け、さらに該開口に相対する壁には窓レールを相通する切欠き溝を設け、
該スライドブロックは、上記ロック台に嵌合する両側壁を設けると共に下方に切欠き溝を形成してその両側に一対の案内斜面を形成し、
該固定部品は、上端に回動操作するための溝を設けると共に他端側側面に外ネジを設け、
該一対の押圧ブロックは、スライドブロックの案内斜面と相対する斜面及び窓レールを挟圧する押圧壁を設けると共にその両側端にはそれぞれロック台の一対の案内溝及び側面蓋の一対の案内溝に嵌入する案内突起を設け、
上記ロック台のスライド開口内に上記スライドブロックの両側壁を嵌合して上下スライド可能に収容し、
該スライドブロックの上記切欠き溝両側の一対の案内傾斜面間に一対の押圧ブロックを配置して、押圧ブロックの間に窓レールを挟んで配置し、上記該側面蓋及びロック台他端壁の案内溝に押圧ブロックの案内突起を嵌入せしめて上記側面蓋を上記開口に固定し、
上記固定部品をロック台上方から螺合してその回転により内部に収容したスライドブロックを押圧下降せしめることにより、その案内斜面間に配置した一対の押圧ブロックを挟圧して上記窓レールを挟んで固定するようにした、ことを特徴とする窓固定具。
【請求項２】
前記ロック台は、上記開口に相対する側壁の外側に更に弾性を備えたゴム、シリコンもしくはプラスチック材からなるパッドを固定したことを特徴とする請求項１記載の窓固定具。
【請求項３】
前記ロック台は、その開口側に複数の固定部を備え、側面蓋の複数の固定孔に嵌合し、次にリベット止めして連結固定することを特徴とする請求項１記載の窓固定具。
【請求項４】
前記ロック台は、その開口側が複数の固定部品と側面蓋の複数の固定孔によって連結されることを特徴とする請求項１記載の窓固定具。
【請求項５】
前記固定部品は、上記上端面の溝が内六角形、十字形、一字形、もしくは梅花形であることを特徴とする請求項１記載の窓固定具。
【請求項６】
前記一対の押圧ブロックの押圧壁は、更に複数の凸条を形成したことを特徴とする請求項１記載の窓固定具。
【考案の詳細な説明】
【技術分野】
【０００１】
本考案は、窓固定具に関するもので、窓レールの予定部位に固定し、窓と窓枠の間に必要な隙間を開け、安全性と基本的な泥棒進入防止機能を備える。
【背景技術】
【０００２】
申請者は、先に窓用補助錠を考案し、窓を固定して隙間を形成し安全性と基本的な泥棒進入防止機能を備えた（特許文献１参照）窓固定具を提案した。
【先行技術文献】
【特許文献】
【０００３】
【特許文献１】実用新案登録第３１１６２５４号
【特許文献２】特開平１１−１３１５８８号公報
【考案の概要】
【考案が解決しようとする課題】
【０００４】
解決しようとする問題点は、上記案の窓用補助錠は窓の横フレームに先ず孔を開けてから設置するもので、このようにすると、窓の外観を損ない、更に必要な部品が多くなり組立及び製造コストが上がってしまう点である。
【０００５】
本考案者は、この問題について継続して研究改良し、新たな窓固定具を考案した。
【課題を解決するための手段】
【０００６】
本考案は、ロック台、スライドブロック、固定部品、一対の押圧ブロック及び側面蓋等を含んで構成され、固定部品を回転させてスライドブロックを押さえ、一対の押圧ブロックを連動させる。一対の押圧ブロックの押圧壁によって押圧され窓レールの予定部位を押さえるもので、操作が簡単で便利である。窓レールに固定すると、窓側面と窓フレームの隙間が固定され、使用者の必要に応じて必要な隙間を調整する。他にその隙間によって室内の空気の通りを保ち、室内の空気が停滞することに依る中毒を防止し、窓が完全に開く事を防いで基本的な泥棒進入防止機能も備える。更に窓が完全に開いて子供が墜落する事故も防止することを最も主要な特徴とする。
【考案の効果】
【０００７】
本考案の窓固定具は、操作が簡単で窓レールに固定すると、窓側面と窓フレームの隙間が固定され、使用者の必要に応じて必要な隙間を調整するという利点がある。
【図面の簡単な説明】
【０００８】
【図１】本考案の実施例の立体分解図である。
【図２】本考案の実施例の立体組立図である。
【図３】本考案の実施例の別角度から見た立体図である。
【図４】本考案の実施例で、窓のレールに設置した立体指示図である。
【図５】本考案の実施例で、窓のレールに設置した部分組立断面指示図である。
【図６】本考案の実施例で、一対の押圧ブロックの案内突起とロック台の案内槽の組立断面指示図である。
【図７】本考案の実施例で、一対の押圧ブロックの案内突起と側面蓋の案内槽の組立断面指示図である。
【考案を実施するための形態】
【０００９】
レール上をスライド移動する窓を固定する窓固定具であって、固定部品を回転させてスライドブロックを押圧して一対の押圧ブロックを連動し、一対の押圧ブロックの押圧壁によって窓レールの所定部位を挟んで押圧して窓を固定するものであって、操作が簡単であることを本考案の主な目的とする。
【００１０】
レール上をスライド移動する窓を固定する窓固定具であって、窓の如何なる部位にも孔を開ける必要がなく、窓の外観を損なうことなく、設置が容易であることを本考案の次の目的とする。
【００１１】
窓と窓フレームの間に隙間を形成して本発明の窓固定具を窓レールに固定すると、窓側面と窓フレームの隙間が固定され、使用者は必要に応じて隙間の幅を調整できることを本考案の別の目的とする。
【００１２】
本発明の窓固定具によれば、窓が固定されて形成された隙間によって、室内の空気が流通し、室内の空気が停滞することによって発生する中毒を有効に防止することを本考案の更に別の目的とする。
【００１３】
本発明の窓固定具により、窓が完全に開くのを防止して、基本的な泥棒進入防止機能を備えることを本考案の別の目的とする。
【００１４】
本発明の窓固定具により、窓が完全に開くのを防止して、子供が窓から墜落事故を有効に防止することを本考案の別の目的とする。
【実施例】
【００１５】
図１から図７に示すとおり、本考案の窓固定具は、ロック台１、スライドブロック２、固定部品３、押圧ブロック４、側面蓋５からなる。
【００１６】
ロック台１は、一側が開放したスライド開口１１を備え、スライドブロック２を上下にスライド可能に収容する。該スライド開口１１の下方はロック台１の下面壁に形成したスリット１２と相互に連通し、また該ロック台１の上面壁１３にはスライド開口１１の上方と相互に通じる内ネジ孔１３１を備え（図１、５参照）、さらに該ロック台１の上記スライド開口に対する側面壁１４下方には窓レール６０の嵌入する切欠き溝１４２を形成すると共に該側面壁１４の内側には一対の案内溝１４１を設ける。また、該ロック台１の上記開口には数個の固定部１５１を設けて上記側面蓋５と連結固定する。
【００１７】
スライドブロック２は、その一対の側面壁２１をロック台１のスライド開口１１に嵌入し、該スライド開口１１内で上下移動する。該スライドブロック２の下方は切欠き溝２２を備えて一対の案内斜面２２１を形成し、該一対の案内斜面２２１は一対の押圧ブロック４を挟んで押圧する。
【００１８】
固定部品３は、上端面に内六角形、十字形、一字形、梅花形等形状の溝３１を備え、他端側には外ネジ３２を備えてロック台１上面壁１３の内ネジ孔１３１に螺合し、外ネジ３２を回転することによってその下端３２１がスライドブロック２の上面壁２３を押圧する。
【００１９】
一対の押圧ブロック４は、それぞれスライドブロック２の切欠き溝２２内に配置され、スライドブロック２の案内斜面２２１に当たる斜面４１と、窓レール６０の面壁に当たる押圧壁４２を備える。更に各押圧壁４２にはそれぞれ複数の凸条４２１が設置されて窓レール６０をより安定して押圧する（図４、５参照）。該一対の押圧ブロック４の両側にはそれぞれ案内突起４３、４４を備え、それらを各々ロック台１の一対の案内溝１４１（図６参照）及び側面蓋５の一対の案内溝５２に嵌入（図７参照）する。
【００２０】
側面蓋５は、複数の固定孔５１を備え、そこにロック台１の複数の固定部１５１を嵌入してリベット止めして連結固定するが、複数個の固定部品（図未提示）で前述の各固定孔５１とロック台１側とを連結固定してもよい。他に該側面蓋５の内壁は一対の案内溝５２が設けられ、そこに一対の押圧ブロック４の一側の案内突起４３、４４をそれぞれ嵌入し、該側面蓋５の下方には窓レール６０を嵌入する切欠き溝５３を備える。
【００２１】
上述の部品の組立により、一対の押圧ブロック４の押圧壁４２はその間にロック台１のスリット１２を合わせて窓レール６０の所定部位を嵌合し、六角スパナ（図未提示）等の工具で固定部品３を回して、その外ネジ３２を下降させてその下端３２１でスライドブロック２の上端面２３を押圧する。スライドブロック２を下向きにスライドさせ、同時にスライドブロック２の一対の案内斜面２２１で一対の押圧ブロック４の斜面４１を下向きに押圧し、相対する押圧ブロック４の一対の斜面４１が連動してその押圧壁４２によって窓レール６０を押圧して（図５参照）固定を完了する。更に、ロック台１の側面壁１４によって窓６の側面６１を止め（図４参照）て、窓がそれ以上開かないように固定することによって子供が窓から墜落するのを防止し、更に基本的な泥棒進入防止機能を備える。更に、本発明の窓固定具によって固定された窓６の反対側の側面と窓フレーム（図未提示）の間に形成した隙間を一定に固定することによって通風効果もあり、空気が停滞することによる中毒など事故の発生を有効に減らす。
【００２２】
更に、前述のロック台１の側面壁１４の外側には、更にパッド１４０を設置（図３参照）して、窓６の側面６１に当てる。該パッド１４０は弾性を備えたゴム、シリコンもしくはプラスチック材がよい。
【００２３】
上述の構成により、本考案は下述の効果がある。
固定部品３を回転してスライドブロック２を押圧し、一対の押圧ブロック４を連動する。一対の押圧ブロック４はその押圧壁４２で窓レール６０の所定部位を挟んで押圧固定するので操作が簡単である。
窓６の如何なる部位にも孔を開ける必要がなく固定できるため、窓６の外観を損なうことなく設置が容易である。
本発明の窓固定具によれば、以下の効果が達成できる。
窓レール６０に固定すると、窓６側面６１と窓フレームの隙間が固定され、使用者は必要に応じて隙間の幅を調整できる。
窓６が固定されて形成された隙間によって、室内の空気が流通し、室内の空気が停滞することによって発生する中毒を有効に防止する。
窓６が完全に開くのを防止して、基本的な泥棒進入防止機能を備える。
窓６が完全に開くのを防止して、子供が窓から墜落事故を有効に防止する。
【符号の説明】
【００２４】
１        ロック台
１１        スライド開口
１２        スリット
１３        上面壁
１３１        内ネジ孔
１４        別一側面壁
１４０        パッド
１４１        案内槽
１４２        切欠き溝
１５１        固定部
２        スライドブロック
２１        側面壁
２２        切欠き溝
２２１        案内傾斜面
２３        上面壁
３        固定部品
３１        溝
３２        外ネジ
３２１        下端
４        押圧ブロック
４１        斜面
４２        押圧壁
４２１        凸条
４３        案内突起
４４        案内突起
５        側面蓋
５１        固定孔
５２        案内槽
５３        切欠き溝
６        窓
６０        窓レール
６１        側面
【図１】
0003149626.tif 000003
【図２】
0003149626.tif 000004
【図３】
0003149626.tif 000005
【図４】
0003149626.tif 000006
【図５】
0003149626.tif 000007
【図６】
0003149626.tif 000008
【図７】
0003149626.tif 000009